(57)【要約】【課題】調整脚によって、本体キャビネットを設置面に平行な状態から前後に傾け得る構成とした場合に、本体キャビネットを容易に設置面に平行な状態に戻すことができる投写型表示装置を提供する。【解決手段】プロジェクタは、本体キャビネット１の底面２ａに設けられ調整脚１３を備える。調整脚１３は、本体キャビネット１の底面２ａからの突出量が変化する脚部１３１と、設置面に接する足先部１３２とを含み、本体キャビネット１が設置面に平行となる基準の長さから伸長および短縮が可能とされている。本体キャビネット１の底面２ａは、調整脚１３の伸縮に伴って足先部１３２が出入りする凹部１０１を有する。調整脚１３が前記基準の長さの状態にあるときに、足先部１３２に設けられたつまみ部１３３の下面１３３ａが設置面に対して本体キャビネット１の底面２ａと同じ高さとなる。【選択図】図６
2011237724.tif 000002
【特許請求の範囲】
【請求項１】
投写型表示装置において、
本体キャビネットと、
前記本体キャビネットの底面に設けられ、前記本体キャビネットの傾きを調整するための調整脚と、を備え、
前記調整脚は、前記底面からの突出量が変化する脚部と、当該脚部の先端に設けられ、前記設置面に接する足先部とを含み、前記本体キャビネットが設置面に平行となる基準の長さから伸長および短縮が可能とされており、
前記本体キャビネットの底面は、前記調整脚の伸縮に伴って前記足先部が出入りする凹部を有し、
前記足先部は、前記調整脚が前記基準の長さの状態にあるときに、前記設置面に対して前記底面と同じ高さとなる目印部を有する、
ことを特徴とする投写型表示装置。
【請求項２】
請求項１に記載の投写型表示装置において、
前記凹部は、前記目印部と前記底面の相互関係を視認可能なように、前記本体キャビネットの側面側が開放されている、
ことを特徴とする投写型表示装置。
【請求項３】
請求項２に記載の投写型表示装置において、
前記足先部は、前記調整脚を伸縮する際に操作されるつまみ部を含み、
前記つまみ部の下面は、前記本体キャビネットの底面に平行とされ、前記下面が前記目印部とされる、
ことを特徴とする投写型表示装置。
【請求項４】
請求項２に記載の投写型表示装置において、
前記足先部は、前記調整脚を伸縮する際に操作されるつまみ部を含み、
前記つまみ部の上面は、前記本体キャビネットの底面に平行とされ、前記上面が前記目印部とされる、
ことを特徴とする投写型表示装置。
【請求項５】
請求項３又は４に記載の投写型表示装置において、
前記足先部は、前記設置面に接する当接部を有し、
前記当接部がゴム材料で形成されている、
ことを特徴とする投写型表示装置。
【発明の詳細な説明】
【技術分野】
【０００１】
本発明は、光源からの光を光変調素子によって変調し、被投写面に拡大投写する投写型表示装置に関する。
【背景技術】
【０００２】
従来、液晶プロジェクタ等の投写型表示装置（以下、「プロジェクタ」という）には、本体キャビネットの底面に、伸縮可能な調整脚が設けられている。この調整脚を伸縮させることにより、本体キャビネットの傾きが変えられる。これによって、スクリーンに投写された画像の高さや傾きが調整される（たとえば、特許文献１、特許文献２参照）。
【０００３】
この構成では、たとえば、本体キャビネットが設置面に平行な状態であるときに、調整脚が最も縮んだ状態となっており、この状態から調整脚が伸びると、前方が高くなるように本体キャビネットが傾斜する。これにより、スクリーンに投写された画像が上方に移動する。
【０００４】
ところで、かかるプロジェクタにおいて、本体キャビネットが設置面に平行な状態から、調整脚を伸長させることができ、さらに、短縮させることもできるような構成も考えられる。このようにすれば、プロジェクタを、設置面に平行な状態から前上がりに傾斜させたり、前下がりに傾斜させたりすることができる。
【先行技術文献】
【特許文献】
【０００５】
【特許文献１】特開２００８−０３３１３０号公報
【特許文献２】特開２００８−２０９４７２号公報
【発明の概要】
【発明が解決しようとする課題】
【０００６】
プロジェクタは、様々な設置環境下において使用され得る。調整脚の突出状態によっては、プロジェクタが前後方向のみならず左右方向にも傾く場合がある。このような状態から、次の使用時に、投写画像の高さ等を調整するのは困難である。このため、調整脚は、プロジェクタの使用前に、初期の状態、即ち、本体キャビネットが設置面に平行となる状態に戻されるのが望ましい。こうすると、そのときの使用状況に応じて、投写画像の高さ等を、初期位置を基準に、容易に調整することができる。
【０００７】
特に、投写レンズからの光を反射ミラーによって反射して斜め上方に投写する、いわゆる短焦点投写型のプロジェクタでは、プロジェクタと被投写面との距離が短いため、本体キャビネネットの前後や左右の傾きがわずかに変化しただけでも、投写画像の上下の位置や左右の傾きが変化する。このため、初期の状態で、調整脚が、本体キャビネットが設置面に平行となる位置からずれていると、プロジェクタが水平な設置面に設置されたときに、初期の投写画像が左右に傾きやすくなり、その後の上下の位置や左右の傾きの調整が困難になりやすい。よって、特に、短焦点投写型のプロジェクタでは、初期の状態で、調整脚が、本体キャビネットが設置面に平行となる位置に正確に戻されることが望ましい。
【０００８】
調整脚が最も縮んだ状態にあるときに本体キャビネットが設置面に平行となる構成では、調整脚を最も縮めることにより、本体キャビネットを容易に平行状態に戻すことができる。
【０００９】
しかしながら、調整脚が伸縮範囲の中間にあるときに本体キャビネットが設置面に平行となる構成では、調整脚の突出量に明確な基準がないため、本体キャビネットを平行状態に戻すことが困難である。
【００１０】
本発明は、このような課題に鑑みてなされたものであり、調整脚によって、本体キャビネットを設置面に平行な状態から前後に傾け得る構成とした場合に、本体キャビネットを容易に設置面に平行な状態に戻すことができる投写型表示装置を提供することを目的とする。
【課題を解決するための手段】
【００１１】
本発明の投写型表示装置は、本体キャビネットと、前記本体キャビネットの底面に設けられ、前記本体キャビネットの傾きを調整するための調整脚とを備える。ここで、前記調整脚は、前記底面からの突出量が変化する脚部と、当該脚部の先端に設けられ、前記設置面に接する足先部とを含み、前記本体キャビネットが設置面に平行となる基準の長さから伸長および短縮が可能とされている。また、前記本体キャビネットの底面は、前記調整脚の伸縮に伴って前記足先部が出入りする凹部を有する。さらに、前記足先部は、前記調整脚が前記基準の長さの状態にあるときに、前記設置面に対して前記底面と同じ高さとなる目印部を有する。
【００１２】
本発明の投写型表示装置によれば、目印部が本体キャビネットの底面と同じ高さになるように調整脚を伸縮させることにより、本体キャビネットを設置面に平行な状態にすることができる。よって、ユーザは、本体キャビネットを容易に設置面に平行な状態に戻すことができる。
【００１３】
本発明の投写型表示装置において、前記凹部は、前記目印部と前記底面の相互関係を視認可能なように、前記本体キャビネットの側面側が開放されているような構成とされ得る。
【００１４】
このような構成とすれば、ユーザは、凹部が開放された側面側から見ることにより、目印部が本体キャビネットの底面と同じ高さになっているか否かを容易に確認することができる。よって、ユーザは、本体キャビネットを一層容易に設置面に平行な状態に戻すことができる。
【００１５】
本発明の投写型表示装置において、前記足先部は、前記調整脚を伸縮する際に操作されるつまみ部を含むような構成とされ得る。この場合、前記つまみ部の下面が、前記本体キャビネットの底面に平行とされ、前記下面が前記目印部とされるような構成とされ得る。
【００１６】
あるいは、前記つまみ部の上面が、前記本体キャビネットの底面に平行とされ、前記上面が前記目印部とされるような構成とされ得る。
【００１７】
これらのような構成とすれば、つまみ部の上面や下面を目印部として利用できるので、目印部として新たな構成を付加する必要がない。
【００１８】
本発明の投写型表示装置において、前記足先部は、前記設置面に接する当接部を有するような構成とされ得る。この場合、前記当接部がゴム材料で形成され得る。
【００１９】
このような構成とすれば、当接部がゴム材料で形成されているので、調整脚が設置面に対して滑りにくくなる。よって、設置面に設置された本体キャビネットが動きにくくなる。
【発明の効果】
【００２０】
以上のとおり、本発明によれば、調整脚によって、本体キャビネットを設置面に平行な状態から前後に傾け得る構成とした場合に、本体キャビネットを容易に設置面に平行な状態に戻すことができる投写型表示装置を提供することができる。
【００２１】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２２】
【図１】実施の形態に係るプロジェクタの外観構成を示す図（斜視図）である。
【図２】実施の形態に係るプロジェクタの外観構成を示す図（底面図）である。
【図３】実施の形態に係るプロジェクタの内部構造を示す図である。
【図４】実施の形態に係る投写光学ユニットの構成を模式的に示す図である。
【図５】実施の形態に係る調整脚を保持するための本体キャビネットの構造について説明するための図である。
【図６】実施の形態に係る調整脚および固定脚の構成について説明するための図である。
【図７】実施の形態に係る調整脚および固定脚の構成について説明するための図である。
【図８】実施の形態に係る調整脚を伸縮させたときの画像の位置の動きについて説明するための図である。
【図９】変更例に係る調整脚および固定脚の構成について説明するための図である。
【発明を実施するための形態】
【００２３】
以下、図面を参照して、本発明の実施の形態について説明する。
【００２４】
図１および図２は、プロジェクタの外観構成を示す図である。図１（ａ）は、前方から見たプロジェクタの斜視図であり、図１（ｂ）は後方から見たプロジェクタの斜視図である。また、図２は、プロジェクタの底面図である。なお、説明の便宜上、図１（ａ）、（ｂ）および図２には、ぞれぞれ、前後左右の方向を示す矢印が描かれている。以下、同様に、他の図面においても、必要に応じて、前後左右の方向を示す矢印が描かれる。
【００２５】
本実施の形態のプロジェクタは、いわゆる短焦点投写型のプロジェクタである。図１を参照して、プロジェクタは、略直方体形状を有する本体キャビネット１を備えている。本体キャビネット１は、下キャビネット２と、下キャビネット２に上方から被せられる上キャビネット３とで構成されている。
【００２６】
本体キャビネット１の上面には、後方に向けて下る第１傾斜面１ａと、この第１傾斜面１ａに続いて後方に向けて上る第２傾斜面１ｂが形成されている。第２傾斜面１ｂは上斜め前方を向いており、この第２傾斜面１ｂに投写口４が形成されている。投写口４から上斜め前方へ出射された映像光が、プロジェクタの前方に配されたスクリーンに拡大投写される。
【００２７】
また、本体キャビネット１の上面には、ランプ用カバー５が設けられている。本体キャビネット１の上面には、ランプユニットを交換するためのランプ用開口と、ランプユニットを冷却するファンユニットに配されたフィルタを交換するためのフィルタ開口が形成されている。ランプ用カバー５は、これらランプ用開口およびフィルタ用開口を覆うためのカバーである。さらに、本体キャビネット１の上面には、複数の操作キーからなる操作部６が設けられている。
【００２８】
本体キャビネット１の右側面には、端子口部７が形成されている。端子口部７には、ＡＶ端子等の各種の端子を有する端子パネル２３３が配されている。端子パネル２３３は、後述する制御回路ユニットの一部を構成する。プロジェクタには、ＡＶ端子を通じて、映像信号や音声信号などのＡＶ（Audio Visual）信号が入出力される。また、本体キャビネット１の右側面には、端子口部７の上方に、吸気口８が設けられている。吸気口８は多数のスリット状の孔によって構成されており、吸気口８を通じて外気が本体キャビネット１内に取り込まれる。
【００２９】
本体キャビネット１の左側面には、第１排気口９および第２排気口１０が設けられている。これら排気口９、１０は多数のスリット状の孔によって構成されており、これら排気口９、１０を通じて本体キャビネット１内部の空気が機外に排出される。また、本体キャビネット１の後面には、出音口１１が形成されている。出音口１１からは、投写時に映像に対応する音声が出力される。
【００３０】
図２を参照して、キャビネット１の底面には、前部中央部に固定脚１２が設けられており、後端部に２つの調整脚１３が設けられている。２つの調整脚１３を上下に伸縮させることにより、本体キャビネット１の前後方向および左右方向の傾きが調整できる。これにより、スクリーンに投写された画像の上下の位置や左右の傾きが調整できる。
【００３１】
本実施の形態のプロジェクタでは、本体キャビネット１の底面が机や床等の設置面に設置される据え置き設置以外に、本体キャビネット１が上下逆さまにされて天井に設置される天吊り設置が可能である。また、本体キャビネット１の前面には、端子パネル２３３や吸気口８が設けられておらず、前面は平坦な面とされている。このため、本実施の形態のプロジェクタでは、本体キャビネット１の前面が設置面に設置される設置形態をとることができる。この場合、設置面自身に画像が投写される。
【００３２】
図３は、プロジェクタの内部構造を示す図である。同図は、前方から見た、上キャビネット３が取り外された状態の斜視図である。なお、便宜上、図３には、光変調ユニット１５および投写光学ユニット１７が点線にて描かれている。また、吸気口８の位置が一点鎖線にて示されている。
【００３３】
図３を参照して、下キャビネット２の前部には、ランプユニット１４と、ランプユニット１３からの光を変調して映像光を生成する光変調ユニット１５とが配されている。
【００３４】
ランプユニット１４は、光源ランプと、光源ランプを保持するランプホルダにより構成されており、上方から着脱できるよう配されている。ランプユニット１４の後方には、ファンユニット１６が配されている。ファンユニット１６は、吸気口８から取り込んだ外気（冷却風）を光源ランプに供給して、光源ランプを冷却する。ランプホルダには、ファンユニット１６からの冷却風を光源ランプへ導くための通風ダクトが設けられている。
【００３５】
光変調ユニット１５は、カラーホイールとＤＭＤ（デジタル・マイクロミラー・デバイス）とを含む。カラーホイールは、光源ランプからの白色光を、赤、緑、青等の各色光に時分割で分離する。ＤＭＤは、カラーホイールから出射された各色光を、映像信号に基づいて変調する。
【００３６】
光変調ユニット１５の後方には、投写光学ユニット１７が配されている。投写光学ユニット１７は、光変調ユニット１５により生成された映像光を拡大し、スクリーン等の被投写面に投写する。
【００３７】
図４は、投写光学ユニット１７の構成を模式的に示す図である。なお、同図には、投写光学ユニット１７に加えて、光変調ユニット１５、制御回路ユニット２３およびノイズフィルタユニット２４が模式的に描かれている。
【００３８】
投写光学ユニット１７は、投写レンズユニット１７１と、反射ミラー１７２と、これら投写レンズユニット１７１および反射ミラー１７２を収容するハウジング１７３により構成されている。投写レンズユニット１７１は、複数のレンズ１７１ａを有している。反射ミラー１７２は、曲面ミラーあるいは自由曲面ミラーである。
【００３９】
図４に示すように、光変調ユニット１５から出射された映像光は、投写レンズユニット１７１の光軸Ｌから本体キャビネット１の上面方向にシフトした位置において、投写レンズユニット１７１に入射する。入射した映像光は、投写レンズユニット１７１によってレンズ作用を受け、反射ミラー１７２に入射する。その後、映像光は、反射ミラー１７２によって広角化され、光線通過窓１７４を介して、被投写面（スクリーン面）へ投写される。
【００４０】
上記のように、映像光は、投写レンズユニット１７１の光軸Ｌから本体キャビネット１の上面方向にシフトした位置において、投写レンズユニット１７１に入射するため、反射ミラー１７２は、投写レンズユニット１７１の光軸Ｌから本体キャビネット１の底面側にシフトするようにして配置される。ここで、反射ミラー１７２は、投写レンズユニット１７１を構成する各レンズのレンズ面よりも大きな反射面を有するため、投写レンズユニット１７１の光軸Ｌに対する反射ミラー１７２のシフト量は比較的大きなものとなる。このため、投写レンズユニット１７１の下方には、本体キャビネット１（下キャビネット２）の底面との間に、比較的大きな空間Ｇが生じる。この空間Ｇは、投写レンズユニット１７１の配置位置から光変調ユニット１５の配置位置にかけて生じる。
【００４１】
図３に戻り、ファンユニット１６の後方には、電源ユニット１８が配されている。電源ユニット１８は、電源回路を備えており、プロジェクタの各電装部品に電源の供給を行う。電源ユニット１８の後方には、スピーカー１９が配されている。スピーカー１９から出力された音声は、出音口１１より外部に放出される。
【００４２】
光変調ユニット１５の右方には、ＤＭＤ用冷却ファン２０が配されている。ＤＭＤ用冷却ファン２０は、ＤＭＤを冷却するために、吸気口８から取り込んだ外気を光変調ユニット１５に供給する。
【００４３】
ランプユニット１４の左方には、ランプ用排気ファン２１が設けられている。ランプ用排気ファン２１は、光源ランプを冷却した後の冷却風を取り込み、第１排気口９を通じて外部に排出する。
【００４４】
電源ユニット１８の左方には、電源用排気ファン２２が設けられている。電源用排気ファン２２は、電源ユニット１８内の温まった空気を取り込み、第２排気口１０を通じて外部に排出する。電源ユニット１８内から電源用排気ファン２２へ空気が流れることにより、新たな外気が吸気口８から取り込まれて電源ユニット１８内へ供給される。
【００４５】
さて、図３および図４に示すように、本実施の形態のプロジェクタでは、投写レンズユニット１０１と光変調ユニット１５の下方に生じた上記空間Ｇに、制御回路ユニット２３およびノイズフィルタユニット２４が配されている。
【００４６】
ノイズフィルタユニット２４は、ノイズフィルタやヒューズが配された回路基板を備えており、入力された商用交流電源からノイズを除去して電源ユニット１８に供給する。
【００４７】
制御回路ユニット２３は、制御回路基板２３１と、制御回路基板２３１を保持するホルダ２３２と、端子パネル２３３と、端子パネル２３３を固定するための固定板２３４とを含む。
【００４８】
制御回路基板２３１には、光源ランプやＤＭＤなどの各種駆動部品を制御するための制御回路が配されている。また、制御回路基板２３１には、各種端子２３５が配されている。
【００４９】
端子パネル２３３には、各種端子２３５の形状に合わせた開口が形成されており、これら開口を通じて、各種端子２３５が外部に臨む。なお、図示されていないが、固定板２３４にも、各種端子２３５が通る開口が形成されている。
【００５０】
固定板２３４は、金属材料で形成されており、その上部には、シールド部２３６が形成されている。シールド部２３６には、多数の開口２３６ａが形成されており、各開口２３５ａには、金網（図示せず）が装着されている。シールド部２３６は、吸気口８の内側に配され、吸気口８から外部に漏れようとする電磁波を遮蔽する。吸気口８から取り込まれた外気は、開口２３６ａを通って本体キャビネット１内部に流入する。
【００５１】
次に、本体キャビネット１の底部に設けられた調整脚１３および固定脚１２について、詳細に説明する。
【００５２】
図５は、調整脚１３を保持するための本体キャビネット１の構造について説明するための図である。図５（ａ）は、調整脚１３が取り外された状態の本体キャビネット１の後端部の底面図である。図５（ｂ）は、上キャビネット２が取り外された状態の本体キャビネッ１の右後のコーナー部の斜視図である。
【００５３】
図５（ａ）に示すように、本体キャビネット１（下キャビネット２）の底面２ａには、後端部の左右両側に凹部１０１が形成されている。凹部１０１は、外縁の形状がＵ字状とされており、本体キャビネット１の後面側に開放されている。凹部１０１の底面には、固定脚１３の脚部１３１（図５（ｂ）参照）が挿入される挿入穴１０１ａが形成されている。
【００５４】
図５（ｂ）に示すように、凹部１０１の裏面には、脚部１３１を保持するための保持部１０２が形成されている。保持部１０２は、挿入穴１０１ａに繋がる円筒部１０３と、円筒部１０３内部に嵌め込まれたナット１０４により構成されている。円筒部１０３の外周面には、円筒部１０３を補強するため、放射状に複数のリブ１０５が形成されている。ナット１０４には、雌ネジが形成されている。
【００５５】
図６および図７は、調整脚１３および固定脚１２の構成について説明するための図である。図６（ａ）は、プロジェクタの要部の背面図である。図６（ｂ）、図７（ａ）および（ｂ）は、ともに、固定脚１３の位置において左右方向に切断されたプロジェクタの断面図である。なお、図６（ａ）および（ｂ）は、調整脚１３が基準の長さの状態にあり、本体キャビネット１が設置面に平行な状態となっている状態を示す。また、図７（ａ）は、調整脚１３が基準の長さから伸長された状態を示し、図７（ｂ）は、調整脚１３が基準の長さから短縮された状態を示す。
【００５６】
調整脚１３は、丸棒状の脚部１３１と、脚部１３１の先端に設けられた足先部１３２により構成されている。脚先部１３２は、つまみ部１３３と、つまみ部１３３の下面１３３ａ側に設けられた当接部１３４により構成されている。
【００５７】
つまみ部１３３は、調整脚１３を伸縮させる際に、ユーザによって操作される。つまみ部１３３は、上下に薄い円柱状を有し、その下面１３３ａには、凹部１３５が形成されている。また、凹部１３５の中央部には、円筒状の突部１３６が形成されている。なお、ユーザが操作しやすいよう、つまみ部１３３の外周面には、複数の突起１３３ｄが所定の間隔で形成されている。
【００５８】
当接部１３４は、ゴム材料によって形成されている。当接部１３４の基部は、つまみ部１３３の凹部１３５に嵌め込まれる。この際、当接部１３４に形成されたスリット部１３７が、つまみ部１３３の突部１３６に嵌め込まれる。つまみ部１３３の先端部は、ほぼ球面とされている。プロジェクタが設置面に設置された際、当接部１３４が設置面に当接する。
【００５９】
脚部１３１は、つまみ部１３３と一体形成されており、雄ネジが形成されたネジ部１３８を有する。脚部１３１は、保持部１０２によって保持される。このとき、ネジ部１３８の雄ネジとナット１０４の雌ネジとが螺合する。脚部１３１が保持部１０２に取り付けられた状態において、つまみ部１３３の下面１３３ａは、本体キャビネット１の底面２ａと平行となる。
【００６０】
固定脚１２は、脚部１２１と、脚部１２１の先端に設けられた当接部１２２により構成されている。当接部１２２は、ゴム材料で形成されており、ほぼ球面とされている。
【００６１】
図７（ａ）示すように、調整脚１３が、基準の長さの状態にあるときには、つまみ部１３３が、本体キャビネット１の凹部１０１に収容されたた状態となり、つまみ部１３３の下面１３３ａと本体キャビネット１の底面２ａとが設置面に対して同じ高さになる。このとき、設置面からつまみ部１３３の下面１３３ａの高さと固定脚１２の高さが同じとなり、本体キャビネット１の底面２ａが設置面に平行となる。
【００６２】
調整脚１３が基準の長さにある状態から、つまみ部１３３が一方向に回転されると、ネジ部１３８の雄ネジとナット１０４の雌ネジとの螺合作用によって脚部１３１が下方へ移動し、図７（ａ）に示すように、本体キャビネット１の底面（凹部１０１の底面）からの脚部１３１の突出量が多くなり、調整脚１３が伸長する。
【００６３】
一方、調整脚１３が基準の長さにある状態から、つまみ部１３３が他方向に回転されると、脚部１３１が上方に移動し、図７（ｂ）に示すように、本体キャビネット１の底面（凹部１０１の底面）からの脚部１３１の突出量が少なくなり、調整脚１３が短縮する。調整脚１３が最後まで縮められた状態のときには、当接部１３４の先端が本体キャビネット１の凹部１０１からわずかに出た状態となる。
【００６４】
図８は、調整脚１３を伸縮させたときの画像の位置の動きについて説明するための図である。
【００６５】
図８（ａ）のように本体キャビネット１が設置面に平行な状態から、投写された画像の位置を下げたい場合には、調整脚１３を伸長させる（図７（ａ）参照）。このようにすると、図８（ｂ）に示すように、本体キャビネット１は、前側が低くなるように（投写口４側が高くなるように）傾斜する。これにより、投写された画像は下方に移動する（画像Ａの状態から画像Ｂの状態となる）。
【００６６】
一方、本体キャビネット１が設置面に平行な状態から、投写された画像の位置を上げたい場合には、調整脚１３を短縮させる（図７（ｂ）参照）。このようにすると、図８（ｃ
）に示すように、本体キャビネット１は、前側が高くなるように（投写口４側が低くなるように）傾斜する。これにより、投写された画像は上方に移動する（画像Ａの状態から画像Ｃの状態となる）。
【００６７】
図８（ｂ）、（ｃ）のように本体キャビネット１が傾斜した状態から、図８（ａ）のように本体キャビネット１が設置面に平行となる状態に戻す場合、ユーザは、つまみ部１３３の下面１３３ａが本体キャビネットの底面２ａと同じ高さとなるまでつまみ部１３３を回転させ、調整脚１３を伸長あるいは伸縮させればよい。よって、本実施の形態では、ユーザは、容易にかつ正確に本体キャビネット１を設置面と平行な状態に戻すことができる。
【００６８】
また、本実施の形態では、本体キャビネット１の凹部１０１が、後面側に開放する構成とされているので、後面側から見ることにより、ユーザは、つまみ部１３３の下面１３３ａが本体キャビネット１の底面２ａと同じ高さになっているか否かを容易に確認することができる。よって、ユーザは、本体キャビネット１を一層容易に設置面に平行な状態に戻すことができる。
【００６９】
さらに、本実施の形態では、つまみ部１３３の下面１３３ａを、目印として利用しているので、足先部１３２に、新たに目印となる構成を設ける必要がない。
【００７０】
さらに、本実施の形態では、当接部１３４がゴム材料で形成されているので、調整脚１３が設置面に対して滑りにくくなる。よって、設置面に設置された本体キャビネット１が動きにくくなる。
【００７１】
以上、本発明の実施の形態について説明したが、本発明は、上記実施の形態に限定されるものではない。また、本発明の実施の形態も、特許請求の範囲に示された技術的思想の範囲内において、適宜、種々の変更が可能である。
【００７２】
たとえば、上記実施の形態では、つまみ部１３３の下面１３３ａが本体キャビネットの底面２ａの高さと同じとなったときに、本体キャビネット１が設置面と平行になるような構成とされている。即ち、本体キャビネット１が設置面と平行になるときの目印として、つまみ部１３３の下面１３３ａが利用されている。しかしながら、これに限らず、たとえば、図９（ａ）に示すように、つまみ部１３３の上面１３３ｂが本体キャビネットの底面２ａの高さと同じとなったときに、本体キャビネット１が設置面と平行になるような構成とされても良い。即ち、本体キャビネット１が設置面と平行になるときの目印として、つまみ部１３３の上面１３３ｂが利用されても良い。この場合、つまみ部１３３の上面１３３ｂが、本体キャビネット１の底面２ａと平行とされる。このような構成としても、つまみ部１３３の下面１３３ｂが目印とされる場合と同様、新たな目印となる構成がいらない。
【００７３】
また、新たな目印となる構成が必要となるが、図９（ｂ）に示すように、目印として、つまみ部１３３の外周面に、本体キャビネット１の底面２ａと平行なライン１３３ｃを形成し、このライン１３３ｃが本体キャビネット１の底面２ａの高さと同じとなったときに、本体キャビネット１が設置面と平行になるような構成とされても良い。
【００７４】
なお、図９（ａ）、（ｂ）の構成とされる場合には、同図に示すように、調整脚１３の高さに合わせて固定脚１２の脚部１２１の高さも新たに設定される。
【００７５】
さらに、本体キャビネット１が設置面と平行になったときに、つまみ部１３３の特定の突起１３２ｄが、後方から見て、つまみの中央位置に位置するように、調整脚を構成して
も良い。こうすれば、本体キャビネット１が設置面と平行になる調整脚の位置がより分かりやすくなる。なお、この場合、目印となる突起１３３ｄは、他の突起１３３ｄと区別できるよう、他の突起１３３ｄと形状が変えられたり、着色がなされたりすることが望ましい。
【００７６】
さらに、上記実施の形態では、本体キャビネット１の凹部１０１が、後面側に開放されるような構成とされている。しかしながらが、これに限らず、凹部１０１が左右の側面側に開放されても良い。また、凹部１０１が後面側と左右の側面側の双方（コーナー部）に開放されても良い。
【００７７】
また、上記実施の形態では、光変調ユニット１５を構成する光変調素子としてＤＭＤが用いられているが、これに限らず、液晶パネルが用いられても良い。
【００７８】
さらに、上記実施の形態では、光源ランプを有するランプユニット１４が用いられているが、ランプ光源以外の光源、たとえば、レーザ光源やＬＥＤ光源が用いられても良い。
【００７９】
この他、本発明の実施の形態は、特許請求の範囲に示された技術的思想の範囲内において、適宜、種々の変更が可能である。
【符号の説明】
【００８０】
１  本体キャビネット
２  下キャビネット
２ａ  底面
３  上キャビネット
１０１  凹部
１３  調整脚
１３１  脚部
１３２  足先部
１３３  つまみ部
１３３ａ  下面（目印部）
１３３ｂ  上面（目印部）
１３３ｃ  ライン（目印部）
１３４  当接部
【図１】
2011237724.tif 000003
【図２】
2011237724.tif 000004
【図３】
2011237724.tif 000005
【図４】
2011237724.tif 000006
【図５】
2011237724.tif 000007
【図６】
2011237724.tif 000008
【図７】
2011237724.tif 000009
【図８】
2011237724.tif 000010
【図９】
2011237724.tif 000011